(57)【特許請求の範囲】
【請求項１】
複数の画素単位からなる液晶パネルのグレースケール値の設定方法であって、
各前記画素単位がメイン画素領域Ｍとサブ画素領域Ｓからなっていて、前記メイン画素領域Ｍとサブ画素領域Ｓの面積比はａ：ｂであってかつａ＞ｂであり、
前記液晶パネルのグレースケール値の設定方法は、
手順Ｓ１０１において、前記液晶パネルの正視角度αにおける各グレースケール値Ｇｋの実際の輝度Ｌｖ（実）Ｔα（Ｇｋ）を取得し、
手順Ｓ１０２において、前記液晶パネルの斜視角度βにおける各グレースケール値Ｇｋの実際の輝度Ｌｖ（実）Ｔβ（Ｇｋ）を取得し、
前記正視角度αは０°であり、
前記斜視角度βは３０〜８０°であり、
手順Ｓ１０３において、前記メイン画素領域Ｍとサブ画素領域Ｓの面積比に基づいて、実際の輝度Ｌｖ（実）Ｔα（Ｇｋ）とＬｖ（実）Ｔβ（Ｇｋ）を以下の関係式によって分け、
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）Ｔα（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）Ｔβ（Ｇｋ）、
正視角度αおよび斜視角度βのときの前記メイン画素領域Ｍの各グレースケール値Ｇｋにおける実際の輝度Ｌｖ（実）Ｍα（Ｇｋ）、Ｌｖ（実）Ｍβ（Ｇｋ）をそれぞれ取得し、正視角度αおよび斜視角度βのときの前記サブ画素領域Ｓの各グレースケール値Ｇｋにおける実際の輝度Ｌｖ（実）Ｓα（Ｇｋ）、Ｌｖ（実）Ｓβ（Ｇｋ）をそれぞれ取得し、
手順Ｓ１０４において、前記手順Ｓ１０１と前記手順Ｓ１０２とで取得した最高グレースケール値Ｇｍａｘでの実際の輝度Ｌｖ（実）Ｔα（Ｇｍａｘ）、Ｌｖ（実）Ｔβ（Ｇｍａｘ）と、
Ｇａｍｍａ（γ）＝２．２、
（Ｇｋ／Ｇｍａｘ）γ＝（Ｌｖ（理）Ｔα（Ｇｋ）／Ｌｖ（実）Ｔα（Ｇｍａｘ））、および、
（Ｇｋ／Ｇｍａｘ）γ＝（Ｌｖ（理）Ｔβ（Ｇｋ）／Ｌｖ（実）Ｔβ（Ｇｍａｘ））、の関係式と、
に基づいて、前記液晶パネルの正視角度αと斜視角度βにおける各グレースケール値Ｇｋの理論輝度Ｌｖ（理）Ｔα（Ｇｋ）、Ｌｖ（理）Ｔβ（Ｇｋ）を算出し、
手順Ｓ１０５において、画素単位のグレースケール値Ｇｋに対して、前記メイン画素領域Ｍおよび前記サブ画素領域Ｓのグレースケール値の組合せ（Ｇｍｋ、Ｇｓｋ）を以下の関係式によって決定することで、正視角度αと斜視角度βにおいて、実際の輝度と理論輝度との差の和ｙｋが最小となるようにし、
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
このとき、Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝および｛Ｌｖ（実）Ｓβ（Ｇｓｋ）｝のすべての組み合わせを上記の式に代入して試算し、画素ユニットのグレースケール値Ｇｋに対して、ｙｋが最小値となるグレースケール値Ｇｍｋ、Ｇｓｋの組みを求め、
手順Ｓ１０６において、前記画素単位の各グレースケール値Ｇｋに対して前記手順Ｓ１０５を繰り返し、全てのグレースケール値Ｇｋにおいて前記メイン画素領域Ｍおよび前記サブ画素領域Ｓのグレースケール値の組合せ（Ｇｍｋ、Ｇｓｋ）を決定し、
前記画素単位のグレースケール値Ｇｋに対して、前記手順Ｓ１０６で設定されたメイン画素領域Ｍおよびサブ画素領域Ｓのグレースケール値の組合せ（Ｇｍｋ、Ｇｓｋ）に基づいて前記メイン画素領域Ｍおよび前記サブ画素領域Ｓのそれぞれの表示制御を行う
ことを特徴とする液晶パネルのグレースケール値の設定方法。
なお、ｋは序数であって、Ｇｋはグレースケール値であり、ｋが０からｍａｘのときＧｋは０からＧｍａｘであって、
メイン画素領域Ｍ及びサブ画素領域Ｓのグレースケール値をそれぞれＧｍｋ及びＧｓｋと表わし、
Ｌｖ（実）Ｍα（Ｇｍｋ）は｛Ｌｖ（実）Ｍα（Ｇｋ）｝のなかから選択される一つの値であり、Ｌｖ（実）Ｓα（Ｇｓｋ）は｛Ｌｖ（実）Ｓα（Ｇｋ）｝のなかから選択される一つの値であり、Ｌｖ（実）Ｍβ（Ｇｍｋ）は｛Ｌｖ（実）Ｍβ（Ｇｋ）｝のなかから選択される一つの値であり、Ｌｖ（実）Ｓβ（Ｇｓｋ）は｛Ｌｖ（実）Ｓβ（Ｇｋ）｝のなかから選択される一つの値である。
ただし、Ｌｖ（実）Ｍα（Ｇｍｋ）とＬｖ（実）Ｍβ（Ｇｍｋ）とはＧｍｋを共通の引数としているのでＧｍｋの値が決まればＬｖ（実）Ｍα（Ｇｍｋ）とＬｖ（実）Ｍβ（Ｇｍｋ）の値は決まるし、同じく、Ｌｖ（実）Ｓα（Ｇｓｋ）とＬｖ（実）Ｓβ（Ｇｓｋ）とはＧｓｋを共通の引数としているのでＧｓｋの値が決まればＬｖ（実）Ｓα（Ｇｓｋ）とＬｖ（実）Ｓβ（Ｇｓｋ）の値は決まる。
【請求項２】
請求項１に記載の液晶パネルのグレースケール値の設定方法において、
前記斜視角度βは６０°である
ことを特徴とする液晶パネルのグレースケール値の設定方法。
【請求項３】
請求項１または請求項２に記載の液晶パネルのグレースケール値の設定方法において、
前記最高グレースケール値Ｇｍａｘは２５５グレースケールである
ことを特徴とする液晶パネルのグレースケール値の設定方法。
【請求項４】
請求項１から請求項３のいずれかに記載の液晶パネルのグレースケール値の設定方法において、
前記手順Ｓ１０１は、
前記液晶パネルの正視角度αにおけるｇａｍｍａ曲線を取得し、
前記ｇａｍｍａ曲線に基づいて前記実際の輝度Ｌｖ（実）Ｔα（Ｇｋ）を確定する
ことを特徴とする液晶パネルのグレースケール値の設定方法。
【請求項５】
請求項１から請求項４のいずれかに記載の液晶パネルのグレースケール値の設定方法において、
前記手順Ｓ１０２は、
前記液晶パネルの斜視角度βにおけるｇａｍｍａ曲線を取得し、
前記ｇａｍｍａ曲線に基づいて前記実際の輝度Ｌｖ（実）Ｔβ（Ｇｋ）を確定する
ことを特徴とする液晶パネルのグレースケール値の設定方法。
【請求項６】
請求項１から請求項５のいずれかに記載の液晶パネルのグレースケール値の設定方法において、
前記手順Ｓ１０６を終えた後、
前記画素単位のグレースケール値Ｇｋと前記メイン画素領域Ｍのグレースケール値Ｇｍｋの関係Ｇｍ−Ｌｖ曲線、及び、前記画素単位のグレースケール値Ｇｋと前記サブ画素領域Ｓのグレースケール値Ｇｓｋの関係Ｇｓ−Ｌｖ曲線を取得し、
前記Ｇｍ−Ｌｖ曲線とＧｓ−Ｌｖ曲線に現れた特異点に対し、平滑化処理を行う
ことを特徴とする液晶パネルのグレースケール値の設定方法。
【発明の詳細な説明】
【技術分野】
【０００１】
本発明は、液晶ディスプレイの技術分野に関し、特に、液晶パネルのグレースケール値の設定方法に関する。
【背景技術】
【０００２】
液晶ディスプレイまたはＬＣＤ（Ｌｉｑｕｉｄ  Ｃｒｙｓｔａｌ  Ｄｉｓｐｌａｙ）は、平らで非常に薄い表示装置であり、一定の数のカラーまたは白黒の画素で構成されており、光源または反射板の前に設置される。
液晶ディスプレイは、消費電力が低いとともに、高画質であり、嵩張らず、軽いといった特徴を備えるため人気があり、ディスプレイの主流になっている。
液晶ディスプレイは、表示スクリーンを備える計算機装置、携帯電話、デジタルフォトフレーム等、各種電気製品の中で広く使用されており、広視野角技術は、現在液晶ディスプレイの発展の鍵を握る技術の一つである。
しかしながら、横から見るまたは斜めに見るなど視覚が大き過ぎると、広視野角液晶ディスプレイは色ずれ現象（ｃｏｌｏｒ  ｓｈｉｆｔ）を引き起こすことが多い。
【０００３】
広視野角液晶ディスプレイが色ずれ現象を引き起こす問題について、現在業界では２Ｄ１Ｇ技術の出現によって改善が図られている。
いわゆる２Ｄ１Ｇ技術とは、液晶パネル中の各画素単位（ｐｉｘｅｌ）を面積が一様ではないメイン画素領域（Ｍａｉｎ  ｐｉｘｅｌ）とサブ画素領域（Ｓｕｂ  ｐｉｘｅｌ）に分け、等しい画素単位におけるメイン画素領域とサブ画素領域を、異なるデータライン（Ｄａｔａ  ｌｉｎｅ）と同じゲートライン（Ｇａｔｅ  ｌｉｎｅ）に接続したものである。
メイン画素領域とサブ画素領域に異なるデータ信号（異なるグレースケール値）を入力することによって、異なる正視輝度と斜視輝度が得られ、横または斜めに見た際に起こる色ずれの問題が少なくなる。
画素単位のグレースケール値に関し、メイン画素領域とサブ画素領域それぞれのグレースケール値の設定の仕方次第で、メイン画素領域とサブ画素領域のグレースケール値の組み合わせが色ずれの問題を少なくできると同時に、好ましい表示効果を達成することができるため、この問題は解決が必要とされている。
【発明の概要】
【発明が解決しようとする課題】
【０００４】
従って、本発明は、２Ｄ１Ｇ技術によってメイン画素領域とサブ画素領域のグレースケール値の設定問題を解決することのできる、液晶パネルのグレースケール値の設定方法を提供することを目的とする。
【課題を解決するための手段】
【０００５】
本発明の液晶パネルのグレースケール値の設定方法は、
複数の画素単位からなる液晶パネルのグレースケール値の設定方法であって、
各前記画素単位がメイン画素領域Ｍとサブ画素領域Ｓからなっていて、前記メイン画素領域Ｍとサブ画素領域Ｓの面積比はａ：ｂであってかつａ＞ｂであり、
前記液晶パネルのグレースケール値の設定方法は、
手順Ｓ１０１において、前記液晶パネルの正視角度αにおける各グレースケール値Ｇｋの実際の輝度Ｌｖ（実）Ｔα（Ｇｋ）を取得し、
手順Ｓ１０２において、前記液晶パネルの斜視角度βにおける各グレースケール値Ｇｋの実際の輝度Ｌｖ（実）Ｔβ（Ｇｋ）を取得し、
前記正視角度αは０°であり、
前記斜視角度βは３０〜８０°であり、
手順Ｓ１０３において、前記メイン画素領域Ｍとサブ画素領域Ｓの面積比に基づいて、実際の輝度Ｌｖ（実）Ｔα（Ｇｋ）とＬｖ（実）Ｔβ（Ｇｋ）を以下の関係式によって分け、
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）Ｔα（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）Ｔβ（Ｇｋ）、
正視角度αおよび斜視角度βのときの前記メイン画素領域Ｍの各グレースケール値Ｇｋにおける実際の輝度Ｌｖ（実）Ｍα（Ｇｋ）、Ｌｖ（実）Ｍβ（Ｇｋ）をそれぞれ取得し、正視角度αおよび斜視角度βのときの前記サブ画素領域Ｓの各グレースケール値Ｇｋにおける実際の輝度Ｌｖ（実）Ｓα（Ｇｋ）、Ｌｖ（実）Ｓβ（Ｇｋ）をそれぞれ取得し、
手順Ｓ１０４において、前記手順Ｓ１０１と前記手順Ｓ１０２とで取得した最高グレースケール値Ｇｍａｘでの実際の輝度Ｌｖ（実）Ｔα（Ｇｍａｘ）、Ｌｖ（実）Ｔβ（Ｇｍａｘ）と、
Ｇａｍｍａ（γ）＝２．２、
（Ｇｋ／Ｇｍａｘ）γ＝（Ｌｖ（理）Ｔα（Ｇｋ）／Ｌｖ（実）Ｔα（Ｇｍａｘ））、および、
（Ｇｋ／Ｇｍａｘ）γ＝（Ｌｖ（理）Ｔβ（Ｇｋ）／Ｌｖ（実）Ｔβ（Ｇｍａｘ））、の関係式と、
に基づいて、正視角度αおよび斜視角度βのときの前記液晶パネルの各グレースケール値Ｇｋの理論輝度Ｌｖ（理）Ｔα（Ｇｋ）、Ｌｖ（理）Ｔβ（Ｇｋ）を算出し、
手順Ｓ１０５において、画素単位のグレースケール値Ｇｋに対して、前記メイン画素領域Ｍおよび前記サブ画素領域Ｓのグレースケール値の組合せ（Ｇｍｋ、Ｇｓｋ）を以下の関係式によって決定することで、正視角度αと斜視角度βにおいて、実際の輝度と理論輝度との差の和ｙｋが最小となるようにし、
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
このとき、Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝および｛Ｌｖ（実）Ｓβ（Ｇｓｋ）｝のすべての組み合わせを上記の式に代入して試算し、画素ユニットのグレースケール値Ｇｋに対して、ｙｋが最小値となるグレースケール値Ｇｍｋ、Ｇｓｋの組みを求め、
手順Ｓ１０６において、前記画素単位の各グレースケール値Ｇｋに対して、手順Ｓ１０５を繰り返し、全てのグレースケール値Ｇｋにおいて前記メイン画素領域Ｍおよび前記サブ画素領域Ｓのグレースケール値の組合せ（Ｇｍｋ、Ｇｓｋ）を決定し、
前記画素単位のグレースケール値Ｇｋに対して、前記手順Ｓ１０６で設定されたメイン画素領域Ｍおよびサブ画素領域Ｓのグレースケール値の組合せ（Ｇｍｋ、Ｇｓｋ）に基づいて前記メイン画素領域Ｍおよび前記サブ画素領域Ｓのそれぞれの表示制御を行う
ことを特徴とする。
【０００６】
なお、ｋは序数であって、Ｇｋはグレースケール値であり、ｋが０からｍａｘのときＧｋは０からＧｍａｘであって、
メイン画素領域Ｍ及びサブ画素領域Ｓのグレースケール値をそれぞれＧｍｋ及びＧｓｋと表わし、
Ｌｖ（実）Ｍα（Ｇｍｋ）は｛Ｌｖ（実）Ｍα（Ｇｋ）｝のなかから選択される一つの値であり、Ｌｖ（実）Ｓα（Ｇｓｋ）は｛Ｌｖ（実）Ｓα（Ｇｋ）｝のなかから選択される一つの値であり、Ｌｖ（実）Ｍβ（Ｇｍｋ）は｛Ｌｖ（実）Ｍβ（Ｇｋ）｝のなかから選択される一つの値であり、Ｌｖ（実）Ｓβ（Ｇｓｋ）は｛Ｌｖ（実）Ｓβ（Ｇｋ）｝のなかから選択される一つの値である。
ただし、Ｌｖ（実）Ｍα（Ｇｍｋ）とＬｖ（実）Ｍβ（Ｇｍｋ）とはＧｍｋを共通の引数としているのでＧｍｋの値が決まればＬｖ（実）Ｍα（Ｇｍｋ）とＬｖ（実）Ｍβ（Ｇｍｋ）の値は決まるし、同じく、Ｌｖ（実）Ｓα（Ｇｓｋ）とＬｖ（実）Ｓβ（Ｇｓｋ）とはＧｓｋを共通の引数としているのでＧｓｋの値が決まればＬｖ（実）Ｓα（Ｇｓｋ）とＬｖ（実）Ｓβ（Ｇｓｋ）の値は決まる。
【０００７】
本発明では、
前記斜視角度βは６０°である
ことが好ましい。
【０００８】
本発明では、
前記最高グレースケール値Ｇｍａｘは２５５グレースケールである
ことが好ましい。
【０００９】
本発明では、
前記手順Ｓ１０１は、
前記液晶パネルの正視角度αにおけるｇａｍｍａ曲線を取得し、
前記ｇａｍｍａ曲線に基づいて前記実際の輝度Ｌｖ（実）Ｔα（Ｇｋ）を確定する
ことが好ましい。
【００１０】
本発明では、
前記手順Ｓ１０２は、
前記液晶パネルの斜視角度βにおけるｇａｍｍａ曲線を取得し、
前記ｇａｍｍａ曲線に基づいて前記実際の輝度Ｌｖ（実）Ｔβ（Ｇｋ）を確定する
ことが好ましい。
【００１１】
本発明では、
前記手順Ｓ１０６を終えた後、
前記画素単位のグレースケール値Ｇｋと前記メイン画素領域Ｍのグレースケール値Ｇｍｋの関係Ｇｍ−Ｌｖ曲線、及び、前記画素単位のグレースケール値Ｇｋと前記サブ画素領域Ｓのグレースケール値Ｇｓｋの関係Ｇｓ−Ｌｖ曲線を取得し、
前記Ｇｍ−Ｌｖ曲線とＧｓ−Ｌｖ曲線に現れた特異点に対し、平滑化処理を行う
ことが好ましい。
【発明の効果】
【００１２】
本発明が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる表示輝度と斜視輝度が得られ、横または斜めに見た際に起こる色ずれの問題を少なくすることができる。そのうち、本考案の実施例が提供するグレースケール値の設定方法に基づいて、メイン画素領域とサブ画素領域のグレースケールを設定することによって、メイン画素領域とサブ画素領域が正視角と斜視角において取得したｇａｍｍａ曲線はどれもｇａｍｍａに近くなり、色ずれの問題を少なくすることができると同時に好ましい表示効果を得ることができ、正視角の表示効果に明らかな変化がない限り、広い視野角における光漏れや色ずれの問題を改善することができる。
【図面の簡単な説明】
【００１３】
【図１】本発明の実施例が提供する液晶ディスプレイの構造を示した図である。
【図２】本発明の実施例が提供する液晶パネルにおける画素単位の一部を示した図である。
【図３】本発明の実施例が提供するグレースケール値の設定方法のフローチャートである。
【図４】本発明の実施例が提供する液晶パネルにおけるグレースケール調整前のｇａｍｍａ曲線図である。
【図５】本発明の実施例が提供する液晶パネルにおけるグレースケール調整後のｇａｍｍａ曲線図である。
【図６】本発明の実施例におけるグレースケール調整後のグレースケールと輝度の関係曲線図である。
【図７】本発明の実施例が採用する方法１で図６の曲線図にスムージングした後の状態を示した図である。
【図８】本発明の実施例が採用する方法２で図６の曲線図に行ったスムージングの過程を示した図である。
【図９】本発明の実施例が採用する方法２で図６の曲線図に行ったスムージングの過程を示した図である。
【図１０】本発明の実施例が採用する方法２で図６の曲線図にスムージングした後の状態を示した図である。
【発明を実施するための形態】
【００１４】
本発明の技術の特徴と構造を更に詳しく説明するため、以下に実施例及び図を添えて詳細する。
【００１５】
図１は本実施例が提供する液晶ディスプレイの構造を示した図である。
図２は本実施例が提供する液晶パネルにおける画素単位の一部を示した図である。
図１と図２を参照する。
本実施が提供する液晶ディスプレイは、向かい合わせに設置されたバックライトモジュール１及び液晶パネル２からなり、前記バックモジュール１は液晶パネル２に表示光源を提供することによって、液晶パネル２は映像を表示することができる。
そのうち、前記液晶パネル２は複数の画素単位２０からなり、各画素単位２０はメイン画素領域（Ｍａｉｎ  ｐｉｘｅｌ）Ｍとサブ画素領域（Ｓｕｂ  ｐｉｘｅｌ）Ｓからなる。
前記メイン画素領域Ｍとサブ画素領域Ｓの面積比はａ：ｂである。
【００１６】
図２において、画素単位２０におけるメイン画素領域Ｍとサブ画素領域Ｓは、異なるデータラインＤｎ、Ｄｎ＋１と、同じゲートラインＧｎと、に接続され、データラインＤｎ、Ｄｎ＋１は、メイン画素領域Ｍとサブ画素領域Ｓにそれぞれ異なるグレースケール値のデータ信号を提供することによって、またゲートラインＧｎは、メイン画素領域Ｍとサブ画素領域Ｓにゲート信号を提供することによって、画素単位２０におけるメイン画素領域Ｍとサブ画素領域Ｓは、同じゲート信号によって起動される。
【００１７】
メイン画素領域とサブ画素領域に異なるデータ信号（異なるグレースケール値）を入力することによって、異なる正視輝度と斜視輝度が得られ、横または斜めに見た際に起こる色ずれの問題を少なくすることができる。
【００１８】
本実施例が提供するグレースケール値の設定方法で、主に、メイン画素領域Ｍとサブ画素領域Ｓのグレースケール値をそれぞれ設定する。
図３のフローチャートに示す通り、前記の設定方法は以下の手順からなる。
【００１９】
（ａ）、前記液晶パネルの正視角αにおける各グレースケール値Ｇｋでの実際の輝度Ｌｖ（実）Ｔα（Ｇｋ）を取得する。
添字のｋは序数であって、Ｇｋはグレースケールの値である。
例えば、ｋが０〜２５５のとき、Ｇｋの値は０〜２５５である。
【００２０】
（ｂ）、前記液晶パネルの斜視角βにおける各グレースケール値Ｇｋの実際の輝度Ｌｖ（実）Ｔβ（Ｇｋ）を取得する。
【００２１】
（ｃ）、前記メイン画素領域Ｍの正視角αと斜視角βにおける各グレースケール値Ｇｋの実際の輝度Ｌｖ（実）Ｍα（Ｇｋ）とＬｖ（実）Ｍβ（Ｇｋ）をそれぞれ取得する。
前記サブ画素領域Ｓの正視角αと斜視角βにおける各グレースケール値Ｇｋの実際の輝度Ｌｖ（実）Ｓα（Ｇｋ）とＬｖ（実）Ｓβ（Ｇｋ）をそれぞれ取得する。
具体的には、前記メイン画素領域Ｍとサブ画素領域Ｓの面積比に基づいて、実際の輝度Ｌｖ（実）Ｔα（Ｇｋ）とＬｖ（実）Ｔβ（Ｇｋ）を分割し、メイン画素領域Ｍとサブ画素領域Ｓのグレースケール値Ｇｋと実際の輝度Ｌｖ（実）Ｍα（Ｇｋ）、Ｌｖ（実）Ｍβ（Ｇｋ）、Ｌｖ（実）Ｓα（Ｇｋ）とＬｖ（実）Ｓβ（Ｇｋ）を得る。
以下の関係式によって分ける。
【００２２】
Ｌｖ（実）Ｍα（Ｇｋ）：Ｌｖ（実）Ｓα（Ｇｋ）＝ａ：ｂ、
Ｌｖ（実）Ｍα（Ｇｋ）＋Ｌｖ（実）Ｓα（Ｇｋ）＝Ｌｖ（実）Ｔα（Ｇｋ）、
Ｌｖ（実）Ｍβ（Ｇｋ）：Ｌｖ（実）Ｓβ（Ｇｋ）＝ａ：ｂ、
Ｌｖ（実）Ｍβ（Ｇｋ）＋Ｌｖ（実）Ｓβ（Ｇｋ）＝Ｌｖ（実）Ｔβ（Ｇｋ）、
【００２３】
（ｄ）、手順（ａ）と（ｂ）で取得した最高グレースケール値Ｇｍａｘの画素単位の実際の輝度（Ｌｖ（実）Ｔα（Ｇｍａｘ）、Ｌｖ（実）Ｔβ（Ｇｍａｘ））に基づいて、各グレースケール値Ｇｋでの理論輝度（Ｌｖ（理）Ｔα（Ｇｋ）、Ｌｖ（理）Ｔβ（Ｇｋ））を計算する。
例えば、画素単位の最高グレースケール値Ｇｍａｘでの実際の輝度Ｌｖ（実）Ｔα（Ｇｍａｘ）とＬｖ（実）Ｔβ（Ｇｍａｘ）に、
【００２４】
Ｇａｍｍａ（γ）＝２．２、
（Ｇｋ／Ｇｍａｘ）γ＝（Ｌｖ（理）Ｔα（Ｇｋ）／Ｌｖ（実）Ｔα（Ｇｍａｘ））
（Ｇｋ／Ｇｍａｘ）γ＝（Ｌｖ（理）Ｔβ（Ｇｋ）／Ｌｖ（実）Ｔβ（Ｇｍａｘ））
を組合せて、正視角αと斜視角βとにおける各グレースケール値Ｇｋでの理論輝度Ｌｖ（理）Ｔα（Ｇｋ）、Ｌｖ（理）Ｔβ（Ｇｋ）を算出する。
【００２５】
（ｅ）、ある画素単位のグレースケール値Ｇｋに対して、メイン画素領域Ｍおよびサブ画素領域Ｓのグレースケール値の組み合わせ（Ｇｍｋ、Ｇｓｋ）を設定する。
メイン画素領域Ｍ及びサブ画素領域Ｓのグレースケール値をそれぞれＧｍｋ及びＧｓｋと表わすとする。
Ｇｍｋ、Ｇｓｋはグレースケール値であって、すなわち、Ｇｍｋ、Ｇｓｋは０−Ｇｍａｘのいずれかの値である。
ここで、ｉ、ｊが｛０・・・ｋ・・・ｍａｘ｝から選択された数（序数）であって、ｉ≠ｊであるときにＧｍｉ＝Ｇｍｊであったり、Ｇｓｉ＝Ｇｓｊであったりすることを許す。
このとき、正視角αにおいて、グレースケール値Ｇｍｋに対応するメイン画素領域Ｍの発光輝度を輝度Ｌｖ（実）Ｍα（Ｇｍｋ）で表す。
正視角αにおいて、グレースケール値Ｇｓｋに対応するサブ画素領域Ｓの発光輝度を輝度Ｌｖ（実）Ｓα（Ｇｓｋ）で表す。
同じく、斜視角βにおいて、グレースケール値Ｇｍｋに対応するメイン画素領域Ｍの発光輝度を輝度Ｌｖ（実）Ｍβ（Ｇｍｋ）で表す。
斜視角βにおいて、グレースケール値Ｇｓｋに対応するサブ画素領域Ｓの発光輝度を輝度Ｌｖ（実）Ｓβ（Ｇｓｋ）で表す。
そして、画素単位のグレースケール値Ｇｋに対して、メイン画素領域Ｍおよびサブ画素領域Ｓのグレースケール値の組合せ（Ｇｍｋ、Ｇｓｋ）を以下の関係式によって設定することで、正視角αと斜視角βにおいて、実際の輝度と理論輝度との差の和が最小となるようにする。
手順（ｃ）の結果から得られた実際の輝度Ｌｖ（実）Ｍα（Ｇｋ）、Ｌｖ（実）Ｍβ（Ｇｋ）、Ｌｖ（実）Ｓα（Ｇｋ）、Ｌｖ（実）Ｓβ（Ｇｋ）に基づき、かつ、手順（ｄ）の結果から得られた理論輝度Ｌｖ（理）Ｔα（Ｇｋ）とＬｖ（理）Ｔβ（Ｇｋ）に基づき、以下の関係式を計算する。
【００２６】
ここで、例えば、Ｌｖ（実）Ｍα（Ｇｋ）は、｛Ｌｖ（実）Ｍα（０）、Ｌｖ（実）Ｍα（１）、・・・・、Ｌｖ（実）Ｍα（２５５）・・・｝であって、グレースケール値Ｇｋに対応するメイン画素領域Ｍの実際の発光輝度がＬｖ（実）Ｍα（Ｇｋ）ということである。
この表記に倣って、例えば、次のように解釈されたい。
｛Ｌｖ（実）Ｍα（Ｇｍｋ）｝は｛Ｌｖ（実）Ｍα（Ｇｋ）｝と同じであり、すなわち、Ｌｖ（実）Ｍα（Ｇｍｋ）は｛Ｌｖ（実）Ｍα（Ｇｋ）｝のなかから選択される一つの値である。
｛Ｌｖ（実）Ｓα（Ｇｓｋ）｝は｛Ｌｖ（実）Ｓα（Ｇｋ）｝と同じであり、すなわち、Ｌｖ（実）Ｓα（Ｇｓｋ）は｛Ｌｖ（実）Ｓα（Ｇｋ）｝のなかから選択される一つの値である。
｛Ｌｖ（実）Ｍβ（Ｇｍｋ）｝は｛Ｌｖ（実）Ｍβ（Ｇｋ）｝と同じであり、すなわち、Ｌｖ（実）Ｍβ（Ｇｍｋ）は｛Ｌｖ（実）Ｍβ（Ｇｋ）｝のなかから選択される一つの値である。
｛Ｌｖ（実）Ｓβ（Ｇｓｋ）｝は｛Ｌｖ（実）Ｓβ（Ｇｋ）｝と同じであり、すなわち、Ｌｖ（実）Ｓβ（Ｇｓｋ）は｛Ｌｖ（実）Ｓβ（Ｇｋ）｝のなかから選択される一つの値である。
【００２７】
Δ１ｋ＝Ｌｖ（実）Ｍα（Ｇｍｋ）＋Ｌｖ（実）Ｓα（Ｇｓｋ）−Ｌｖ（理）Ｔα（Ｇｋ）、
Δ２ｋ＝Ｌｖ（実）Ｍβ（Ｇｍｋ）＋Ｌｖ（実）Ｓβ（Ｇｓｋ）−Ｌｖ（理）Ｔβ（Ｇｋ）、
ｙｋ＝Δ１ｋ２＋Δ２ｋ２
【００２８】
画素単位のグレースケール値Ｇｋを決めれば、Ｌｖ（理）Ｔα（Ｇｋ）は決まる値である（手順（ｄ）ですでに求まっている）。
同じくグレースケール値Ｇｋを決めれば、Ｌｖ（理）Ｔβ（Ｇｋ）は決まる値である（手順（ｄ）ですでに求まっている）。
Ｌｖ（理）Ｔα（Ｇｋ）およびＬｖ（理）Ｔβ（Ｇｋ）を固定しておいて、｛Ｌｖ（実）Ｍα（Ｇｍｋ）｝、｛Ｌｖ（実）Ｓα（Ｇｓｋ）｝、｛Ｌｖ（実）Ｍβ（Ｇｍｋ）｝、｛Ｌｖ（実）Ｓβ（Ｇｓｋ）｝をすべての組み合わせで上記の式に代入して試算し、画素単位のグレースケール値Ｇｋに対して、ｙｋが最小値となるグレースケール値Ｇｍｋ、Ｇｓｋの組みを求める。
【００２９】
（ｆ）、画素単位の各グレースケール値Ｇｋに対して、手順（ｅ）を繰り返し行い、すべてのグレースケール値Ｇｋに対してメイン画素領域Ｍとサブ画素領域Ｓのグレースケール値の組み（Ｇｍｋ、Ｇｓｋ）を求める。
【００３０】
本実施例において、正視角αは０°であり、斜視角βは６０°である。
別の実施例において、斜視角βは３０〜８０°の範囲内で選ぶことができる。
そのうち、正視角αとは液晶ディスプレイの正視角方向であり、斜視角βとは液晶ディスプレイに向かい合う正視方向に対して形成された角度である。
【００３１】
本実施例において、前記液晶パネルのグレースケール値は、０から２５５までの２５６個のグレースケール値からなり、そのうち、最高グレースケール値Ｇｍａｘは２５５グレースケールである。
【００３２】
以下より、メイン画素領域Ｍとサブ画素領域Ｓはａ：ｂ＝２：１、正視角はα＝０°、斜視角はβ＝６０°を具体的な例とする。
【００３３】
まず、図４に示すように、液晶パネルの正視角０°と斜視角６０°におけるｇａｍｍａ曲線を取得する。
前記ｇａｍｍａ曲線に基づいて、正視角０°と斜視角６０°における各グレースケール値Ｇｋ（０〜２５５）の実際の輝度Ｌｖ（実）Ｔ０（Ｇｋ）及びＬｖ（実）Ｔ６０（Ｇｋ）を確定する。
【００３４】
次に、メイン画素領域Ｍとサブ画素領域Ｓの面積比ａ：ｂ＝２：１によって、実際の輝度Ｌｖ（実）Ｔ０（Ｇｋ）とＬｖ（実）Ｔ６０（Ｇｋ）を、
Ｌｖ（実）Ｍ０（Ｇｋ）、
Ｌｖ（実）Ｓ０（Ｇｋ）、
Ｌｖ（実）Ｍ６０（Ｇｋ）、および、
Ｌｖ（実）Ｓ６０（Ｇｋ）
に分ける。
【００３５】
これにより、メイン画素領域Ｍの正視角０°と斜視角６０°における各グレースケール値Ｇｋ（０〜２５５）の実際の輝度Ｌｖ（実）Ｍ０（Ｇｋ）及びＬｖ（実）Ｍ６０（Ｇｋ）を取得する。
また、サブ画素領域Ｓの正視角０°と斜視角６０°における各グレースケール値Ｇｋ（０〜２５５）の実際の輝度Ｌｖ（実）Ｓ０（Ｇｋ）及びＬｖ（実）Ｓ６０（Ｇｋ）を取得する。
これにより、画素単位のグレースケール値Ｇｋに対するメイン画素領域Ｍとサブ画素領域Ｓの実際の輝度の対応関係を樹立する。
以下の関係式を満たすものとする。
【００３６】
Ｌｖ（実）Ｍ０（Ｇｋ）：Ｌｖ（実）Ｓ０（Ｇｋ）＝２：１、
Ｌｖ（実）Ｍ０（Ｇｋ）＋Ｌｖ（実）Ｓ０（Ｇｋ）＝Ｌｖ（実）Ｔ０（Ｇｋ）、
Ｌｖ（実）Ｍ６０（Ｇｋ）：Ｌｖ（実）Ｓ６０（Ｇｋ）＝２：１、
Ｌｖ（実）Ｍ６０（Ｇｋ）＋Ｌｖ（実）Ｓ６０（Ｇｋ）＝Ｌｖ（実）Ｔ６０（Ｇｋ）
【００３７】
さらに、最高グレースケール値（２５５）の実際の輝度Ｌｖ（実）Ｔ０（２５５）及びＬｖ（実）Ｔ６０（２５５）と、
Ｇａｍｍａ（γ）＝２．２、
（Ｇｋ／２５５）γ＝（Ｌｖ（理）Ｔ０（Ｇｋ）／Ｌｖ（実）Ｔ０（２５５））
（Ｇｋ／２５５）γ＝（Ｌｖ（理）Ｔ６０（Ｇｋ）／Ｌｖ（実）Ｔ６０（２５５））
に基づいて、前記液晶パネルの正視角０°と斜視角６０°における各グレースケール値Ｇｋ（０−２５５）での理論輝度Ｌｖ（理）Ｔ０（Ｇｋ）及びＬｖ（理）Ｔ６０（Ｇｋ）（Ｇｋは０〜２５５）を算出し、グレースケール値Ｇｋと理論輝度Ｌｖ（理）Ｔ０（Ｇｋ）、Ｌｖ（理）Ｔ６０（Ｇｋ）の対応関係を構築する。
【００３８】
さらに、画素単位のグレースケール値Ｇｋ（Ｇｋは０〜２５５のうちのどれか一つ）に対し、メイン画素領域Ｍとサブ画素領域Ｓのグレースケール値の組み合わせ（ＧｍｋとＧｓｋ）を設定する。
前記構築したメイン画素領域Ｍとサブ画素領域Ｓのグレースケール値Ｇｋに対する実際の輝度Ｌｖ（実）Ｍ０（Ｇｋ）、Ｌｖ（実）Ｓ０（Ｇｋ）、Ｌｖ（実）Ｍ６０（Ｇｋ）、Ｌｖ（実）Ｓ６０（Ｇｋ）の対応関係に基づいて、グレースケール値ＧｍｋおよびＧｓｋに対応する実際の輝度Ｌｖ（実）Ｍ０（Ｇｋ）、Ｌｖ（実）Ｍ６０（Ｇｋ）、Ｌｖ（実）Ｓ０（Ｇｋ）、Ｌｖ（実）Ｓ６０（Ｇｋ）を取得することができ、前記構築したグレースケール値Ｇｋと理論輝度Ｌｖ（理）Ｔ０（Ｇｋ）、Ｌｖ（理）Ｔ６０（Ｇｋ）の対応関係に基づいて、グレースケール値Ｇｋに対応する理論輝度Ｌｖ（理）Ｔ０（Ｇｋ）、Ｌｖ（理）Ｔ６０（Ｇｋ）を取得することができる。以下の関係式を計算する。
【００３９】
Δ１ｋ＝Ｌｖ（実）Ｍ０（Ｇｍｋ）＋Ｌｖ（実）Ｓ０（Ｇｓｋ）−Ｌｖ（理）０（Ｇｋ）、
Δ２ｋ＝Ｌｖ（実）Ｍ６０（Ｇｍｋ）＋Ｌｖ（実）Ｓ６０（Ｇｓｋ）−Ｌｖ（理）６０（Ｇｋ）、
ｙｋ＝Δ１ｋ２＋Δ２ｋ２
【００４０】
ＧｍｋとＧｓｋの取得値の組み合わせの試行を繰り返すことによって、ＧｍｋとＧｓｋの組み合わせが式中のｙｋの最小値を与えるとき、そのグレースケール値ＧｍｋとＧｓｋは、画素単位がグレースケール値Ｇｋのときにメイン画素領域Ｍとサブ画素領域Ｓにそれぞれ入力するグレースケール値Ｇｍｋ、Ｇｓｋとして設定する。
【００４１】
最後に、画素単位の各グレースケール値Ｇｋ（０〜２５５）に対し、先ほどの手順を繰り返すと、全てのグレースケール値Ｇｋ（０〜２５５）においてメイン画素領域Ｍとサブ画素領域Ｓに入力されるグレースケール値Ｇｍｋ、Ｇｓｋを取得することができる。
【００４２】
本発明の実施例において、メイン画素領域Ｍとサブ画素領域Ｓのグレースケール値の調整をすると、液晶パネルの正視角０°と斜視角６０°におけるｇａｍｍａ曲線は、図５のようになる。
メイン画素領域Ｍとサブ画素領域Ｓのグレースケール値を設定することによって、メイン画素領域Ｍとサブ画素領域Ｓの正視角と斜視角において、取得されたｇａｍｍａ曲線は、ｇａｍｍａ（γ）＝２．２に近づき、色ずれの問題を少なくすることができると同時に好ましい表示効果を得ることができ、正視角の表示効果に明らかな変化がない限り、広い視野角における光漏れや色ずれの問題を改善することができる。
【００４３】
以上の手順で設定した後の、画素単位のグレースケール値Ｇｋに対するメイン画素領域Ｍのグレースケール値Ｇｍｋの関係Ｇｍ−Ｌｖ曲線、及び画素単位のグレースケール値Ｇｋに対するサブ画素領域Ｓのグレースケール値Ｇｓｋの関係Ｇｓ−Ｌｖ曲線図を図６に示す。
図６が示す関係曲線図において、１５７グレースケール値付近でグレースケール値の反転が生じているとともに、曲線上に特異な離散データ点が存在するが、これが液晶ディスプレイの表示品質に影響を与える。
この問題を改善するため、以下の方法を採用して関係曲線図にスムージング処理を行う。
【００４４】
（１）局所重み付け散布図平滑化法（ｌｏｃａｌｌｙ  ｗｅｉｇｈｔｅｄ  ｓｃａｔｔｅｒ  ｐｌｏｔ  ｓｍｏｏｔｈｉｎｇ、ＬＯＷＥＳＳまたはＬＯＥＳＳ）を採用してスムージング処理を行う。
ＬＯＷＥＳＳ法は、移動平均法に似ており、指定された範囲の中で、全てその範囲の近くで重み付けを行う回帰によって各データ点が取得され、回帰方程式は線方程式または二次方程式を用いることができる。
指定された範囲内で、スムージングしようとするデータ点の両側のスムージングされたデータ点が等しければ、対称ＬＯＷＥＳＳといい、両側のデータ点が等しくなければ、非対称ＬＯＷＥＳＳと言う。
一般的に、ＬＯＷＥＳＳは以下の手順からなる。
【００４５】
（ａ１）指定された範囲内の各データ点の最初の重みを計算する。
重み関数は、一般に数値間のユークリッド距離比の三次関数を表す。
【００４６】
（ｂ１）最初の重みによって回帰推定し、推定式の残差定義の落ち着いた重み関数によって、新たな重みを計算する。
【００４７】
（ｃ１）新たな重みを使って（ｂ１）の手順を繰り返して重み関数を修正し、Ｎ回目の時に重みが収斂すると、多項式と重みに基づいて任意の点のスムース値を取得することができる。
【００４８】
ＬＯＷＥＳＳ法によってデータをスムージングしたキーパラメータは、範囲の広さの選択において、範囲が広すぎてスムース点がカバーされた過去のデータが多すぎると、最新の値の情報がスムース値に与える影響が少なくなり、反対に、範囲が狭すぎると、スムージング後のデータは平滑ではなくなる。
【００４９】
図７は、本実施例における、ＬＯＷＥＳＳ法により処理した後のグレースケール値Ｇｋとグレースケール値ＧｍｋおよびＧｓｋとの関係曲線図である。
処理後の関係曲線は平滑で、最初の計算時に生じた誤差が修正され、液晶ディスプレイの表示品質が向上される。
【００５０】
（２）べき関数を採用して近似処理する。グレースケール値の反転が生じるグレースケール値Ｇｋ（例えば本実施例における１５７グレースケール）のあとの曲線をフィッティングする。
そのうち、本実施例で採用したべき関数の表現式は、ｆ＝ｍ＊ｘ＾ｎ＋Ｃである。
【００５１】
図８と図９は、べき関数をフィッティングする過程を示した図である。
そのうち図８は、サブ画素領域Ｓのグレースケール値Ｇｓｋを示すＧｓ−Ｌｖ曲線にフィッティングした図であり、図における横座標は、グレースケール値の反転が始まるグレースケール値Ｇｋを表し、縦座標は、サブ画素領域Ｓに対応するグレースケール値Ｇｓｋを表し、曲線ｐｏｗｅｒ１はフィッティングによって得られた曲線である。
図９は、メイン画素領域Ｍのグレースケール値Ｇｍｋを示すＧｍ−Ｌｖ曲線にフィッティングした図であり、図における横座標は、グレースケール値の反転が始まるグレースケール値Ｇｋを表し、縦座標は、メイン画素領域Ｍに対応するグレースケール値Ｇｍｋを表し、曲線ｐｏｗｅｒ２はフィッティングによって得られた曲線である。
【００５２】
本実施例において、べき関数によってフィッティングした後のグレースケール値Ｇｋとグレースケール値ＧｍｋおよびＧｓｋの関係は図１０に示す通りであり、メイン画素領域ＭのＧｍ−Ｌｖ曲線とサブ画素領域ＳのＧｓ−Ｌｖ曲線からなる。
フィッティング後の関係曲線は平滑で、液晶ディスプレイの表示品質を向上させることができるとともにべき関数によってフィッティングする方法は簡単で、速く、正確である。
【００５３】
要約すると、本発明の実施例が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる正視輝度と斜視輝度が得られ、横または斜めに見た際に起こる色ずれの問題を少なくすることができる。
そのうち、本発明の実施例が提供するグレースケール値の設定方法に基づいて、メイン画素領域とサブ画素領域のグレースケール値を設定することによって、正視角と斜視角において取得した曲線はどれも理論値に近くなり、色ずれの問題を少なくすることができると同時に好ましい表示効果を得ることができる。
【００５４】
当然のことながら、本発明の保護範囲は、上述の具体的な実施方式に限定されず、本領域の技術者は、本発明の精神と範囲を逸脱しない範囲内で、本発明を変更または変形することができる。
このように、本発明のこれらの修正や変形は本発明の特許請求範囲及び同等の技術の範囲内に属し、本発明はこれらの変更や変化を含むものとする。
【符号の説明】
【００５５】
１        バックライトモジュール
２        液晶パネル
Ｄｎ    データライン
Ｇｎ    ゲートライン
２０    画素単位
Ｍ        メイン画素領域
Ｓ        サブ画素領域
【図１】
0006564452.tif 000002
【図２】
0006564452.tif 000003
【図３】
0006564452.tif 000004
【図４】
0006564452.tif 000005
【図５】
0006564452.tif 000006
【図６】
0006564452.tif 000007
【図７】
0006564452.tif 000008
【図８】
0006564452.tif 000009
【図９】
0006564452.tif 000010
【図１０】
0006564452.tif 000011